(57)【特許請求の範囲】
【請求項１】
物体側から順に、第１レンズ群、フォーカスレンズの第２レンズ群を有するインナフォーカスズームレンズであって、前記第１レンズ群と前記第２レンズ群の間において開口径可変なフレアカッター装置をフォーカス駆動機構上に配置し、ズーム作動により前記フレアカッター装置をフォーカスレンズ群と連動して前後移動させかつ前記フレアカッター装置の開口径調節を行い、フォーカス作動により前記フレアカッター装置をフォーカスレンズ群と一体に前後移動させることを特徴とするフレアーカッター機構を有するインナフォーカスズームレンズ。
【請求項２】
前記フレアカッター装置は、前記フォーカスレンズ群の直径より大きい開口径になり、かつ前記フォーカスレンズ群と光軸方向で重なった位置に移動可能である請求項１に記載のフレアーカッター機構を有するインナフォーカスズームレンズ。
【請求項３】
前記フレアカッター装置の前側に、ズーミング作動によって前後移動する一定開口径の固定フレアカッターがさらに配置された請求項１に記載のフレアーカッター機構を有するインナフォーカスズームレンズ。
【発明の詳細な説明】
【０００１】
【産業上の利用分野】
本発明は、インナーフォーカスズームレンズ、特に望遠側において有効にフレアーを除去して鮮明な結像を得ることができるインナーフォーカスズームレンズに関する。ここで、フレアーとは、所定の屈折等が行われながらレンズ系を少なくとも部分的に通過して光線追跡が可能であるが結像に寄与しない光線を意味し、レンズ系や鏡筒内面によって反射され実際上光線追跡を行うことができない散乱光すなわちゴーストと区別される。従って、フレアーは、フレアーのまま結像位置に達する場合と、レンズ系の途中でゴーストに変化して結像位置に到達する場合がある。
【０００２】
【従来の技術とその問題点】
多レンズ群移動式のズームレンズにおいて、広角側の周辺光量を十分に確保するために第１レンズ群すなわち対物レンズ群の有効径を大きくするが、この結果として中間焦点距離や望遠側においては対物レンズ群に不要な光線が入り、フレアーの原因となっている。一方、ズームレンズにおけるフレアーやゴーストを除去するために、以下の構成が提案されいる。
【０００３】
特開平４−１３３０１１号公報は、開口径が可変あるいはフレア防止部材をズームレンズ鏡筒内に設け、レンズ群間の位相差に応じて遮光羽根を開閉して開口径を変化させることにより、フレアーやゴーストの不要光の遮光性を向上させる構成を開示している。すなわち、フォーカスレンズ群と、ズームレンズ群とを有するズームレンズにおいて、該ズームレンズ群の後方すなわちズームレンズ群と結像位置との間に開口径が可変で、前記ズームレンズ群と相対的位置を変化させながら連動する遮光板を配置する構成である。
特開平６−２０１９６６号公報では、光軸に沿って前後に位置する２つの可動レンズ群を有するズームレンズの鏡胴内で、後方レンズ群の後方の所定位置に可動遮光板を配置し、該可動遮光板を後方レンズ群の支持枠によって押し動かすことことによってフレアーを防止する構成を開示している。
【０００４】
特開平７−２９４８１４号公報では、物体側より順に正の第１レンズ群、負の第２レンズ群、正の第３レンズ群、正の第４レンズ群を有し、第２レンズ群と第３レンズ群の間に径可変フレアーカット絞りを配置し、最大軸外光線の下側光線のフレアー成分をカットする構成を開示している。
特開平６−２０１９６６号公報では、光軸に沿って前後に位置する２つの可動レンズ群を有するズームレンズの鏡胴内で、後方レンズ群の後方の所定位置に可動遮光板を配置し、該可動遮光板を後方レンズ群の支持枠によって押し動かすことことによってフレアーを防止する構成を開示している。
特開平９−３３７８１号公報では、移動レンズ群を有するレンズ鏡筒において、前記移動レンズ群の前後に鏡筒嵌合擦動面からの反射光を遮光する遮光手段を設け、該遮光手段を前記レンズ群の移動に応じて移動させることによってゴーストを除去するものである。
【０００５】
【発明が解決しようとする問題点】
特開平４−１３３０１１号公報に開示されたフォーカスレンズ群と、ズームレンズ群とを有するズームレンズにおいては、該ズームレンズ群の後方すなわちズームレンズ群と結像位置との間に開口径が可変で、前記ズームレンズ群と相対的位置を変化させながら連動する遮光板を配置する構成であるから、ズームレンズ群と結像位置の間におけるフレアーを除去することはできるが、ズームレンズ群内あるいはズームレンズ群前においてフレアーがゴーストに変化する可能性が高く、フレアーを効率的に除去することができない。
特開平６−２０１９６６号公報に開示された、光軸に沿って前後に位置する２つの可動レンズ群を有するズームレンズの鏡胴内で、後方レンズ群の後方の所定位置に可動遮光板を配置し、該可動遮光板を後方レンズ群の支持枠によって押し動かすことことによってフレアーを防止する構成においても、ズームレンズ群と結像位置の間におけるフレアーを除去することはできるが、ズームレンズ群内あるいはズームレンズ群前においてフレアーがゴーストに変化する可能性が高く、フレアーを効率的に除去することができない。
【０００６】
特開平７−２９４８１４号公報に開示された、負の第２レンズ群と正の第３レンズ群の間に径可変フレアーカット絞りを固定的に配置することにより最大軸外線の下側光線のフレアー成分をカットすることができるが、望遠側で最も大きな弊害をもたらす第１レンズ群から射出されたフレアーを有効に遮光できない。
特開平６−２０１９６６号公報された構成においては、後方レンズ群の後方において簡易な構造の固定寸法の遮光板によってフレアーを除去することができるが、望遠側で最も大きな弊害をもたらす第１レンズ群から射出されたフレアーを有効に遮光できない。
特開平９−３３７８１号公報では、第１レンズ群と第２レンズ群の間に、鏡筒嵌合擦動面からのレンズ鏡筒内面からの反射光を遮光する遮光手段を設け、該遮光手段を第１レンズ群及び第２レンズ群の移動に応じて移動させることによってゴーストを除去するが、望遠側で最も大きな弊害をもたらす第１レンズ群から射出されたフレアーの除去については何ら問題提起していない。
【０００７】
【発明の目的】
本発明は、従来の高倍率インナーフォーカスズームレンズにおいて考えられるこのような問題に鑑みてなされたものであって、望遠側で最も大きな弊害をもたらす第１レンズ群から射出されたフレアーを有効に遮光し、ゴーストを除去するよりはるかに効率的に不要光を除去して鮮明な結像を形成することができるインナーフォーカスズームレンズを提供することを目的とする。ここで、実光線を除去するフレアー除去は、散乱光を除去するゴースト除去よりもはるかに効率的に不要光の除去が可能であると考えられる。
【０００８】
本発明はさらに、フォーカスレンズ群と該フォーカスレンズ群の前方の前側レンズ群を非常に接近可能にして、特に広角状態の光学性能を容易に高めることができるフレアーカッター機構を有するインナフォーカスズームレンズを提供することを目的とする。
【０００９】
【課題を解決するための手段】
本発明は、物体側から順に、第１レンズ群、フォーカスレンズの第２レンズ群を有するインナフォーカスズームレンズであって、前記第１レンズ群と前記第２レンズ群の間において開口径可変なフレアカッター装置をフォーカス駆動機構上に配置し、ズーム作動により前記フレアカッター装置をフォーカスレンズ群と連動して前後移動させかつ前記フレアカッター装置の開口径調節を行い、フォーカス作動により前記フレアカッター装置をフォーカスレンズ群と一体に前後移動させることを特徴とするフレアーカッター機構を有するインナフォーカスズームレンズである。
本発明の第１実施態様は、前記フレアカッター装置が、前記フォーカスレンズ群の直径より大きい開口径になり、かつ前記フォーカスレンズ群と光軸方向で重なった位置に移動可能であることを特徴とする。
本発明の第２実施態様は、前記フレアカッター装置の前側に、ズーミング作動によって前後移動する一定開口径の固定フレアカッターがさらに配置されたことを特徴とする。
【００１０】
【発明の実施の形態】
以下に、本発明の実施例のインナーフォーカス式ズームレンズを図に基づいて説明する。ズームレンズ１は、図１及び図２に示すように、 対物レンズ群すなわち第１レンズ群１０、フォーカスレンズの第２レンズ群１２、第３レンズ群１４、第４レンズ群１６を有する。ズームレンズ１の最外側には、マウント部２０側にズームリング３０及びマウント部と反対側すなわち被写体側にフォーカスリング３２が配置される。マウント部２０に取り付けられた固定鏡筒２２の外側に、フォーカスリング３２に連結されたフォーカス作動レバー３３、及びフォーカス操作時のみ回転及び光軸方向移動を行うフォーカスカム筒３４が摺動可能に配置される。固定鏡筒２２の内側には、ズーム操作によってズームレバー３６によって回転させられられ、光軸Ｏ方向には移動しない第１カム筒４０が配置される。
【００１１】
固定鏡筒２２の光軸Ｏ方向に延びたカム溝（図示せず）と第１カム筒４０のカム溝（図示せず）に係合する２群摺動コマ４４は、２群摺動枠４６に植設される。２群摺動枠４６は、ズーム操作によって回転し光軸Ｏ方向すなわち前後に移動する。２群摺動枠４６には、案内コマ５０及び２群摺動コマ４４が植設される。案内コマ５０は、フォーカスカム筒３４の２群移動カム５６とフレアカッターカム筒６０の２群移動カム５８に係合する。フレアカッターコマ５２は、フレアカッターカム筒６２のフレアカッターカム溝６４に係合する。
フォーカスカム筒３４の外側には、ズーム操作によって直進する直進筒７０が配置され、直進筒７０の先端に固定フレアカッター７４が固着される。フレアカッターコマ５２が係合するフレアカッター枠６０の前端部には、直進筒７０の光軸Ｏ方向に延びた直線溝（図示せず）に係合する直進ピン８０と、光軸Ｏ中心に回転自在に支持された作動環８６と、固着された固定環８８とが配置される。
【００１２】
作動環８６と固定環８８との間には、フレアカッター羽根１００が配置されてフレアカッター機構が構成される。作動環８６には、フレアカッター羽根１００を開閉作動させるためのフレアカットカム溝１０４が形成され、また２群摺動枠４６と係合した連動レバー４５が固着されている。フレアカッター羽根１００は、軸支ピン１０８によって固定環８８に軸支され、フレアカッター羽根１００の中間位置に植設された摺動ピン１１０が作動環８６のフレアカットカム溝１０４に係合する。
【００１３】
このように構成されたインナーフォーカス式ズームレンズ１の作動は、ズームリング３０を回転させるズーム操作によって、その回転運動がズームレバー３６を介して第１カム筒４０に伝達され、さらに２群コマ４４を介して２群摺動枠４６が回転及び前後移動をする。これによって案内コマ５０及び直進筒７０が前後移動し、固定フレアカッター７４が前後移動する。
【００１４】
第１カム筒４０の回転は、さらに、案内コマ５０を介してフレアカッターカム筒６２を回転させ、フレアカッターコマ５２を介してフレアカッター枠６０を前後移動させる。同時に、２群摺動枠４６の回転が連動レバー４５を介して作動環８６を回転させて、フレアカッター羽根１００の開口径を変化させる。フレアカッター羽根１００の開口径は、図１に示すように、広角状態で第２レンズ群１２の第２レンズ群枠１３のが外径よりも大きくなる。
【００１５】
フォーカスリング３２を回転させるフォーカス作動によって、フォーカス作動レバー３３を介してフォーカスカム筒３４が回転及び前後移動する。フォーカスカム筒３４の回転及び前後移動によって、第２レンズ群１２が前後移動して合焦がなされ、同時に、フレアカッターコマ５２を介してフレアカッター枠６０が前後移動する。フォーカスカム筒３４の動きと２群摺動枠４６の動きには関係なしに、案内コマ５０を基準にしてフォーカスカム筒３４が移動する。また、第２レンズ群枠１３がフォーカスカム筒３４に螺合しているため、第２レンズ群１２はフォーカスカム筒３４と一体で移動する。フレアカッター羽根１００の光軸Ｏ方向の位置は、図１に示すように、広角状態で第２レンズ群１２の光軸Ｏ方向の位置と重なった位置となり、フレアカッター羽根１００等が第１レンズ群１０と第２レンズ群１２との接近を妨げることはない。
【００１６】
【発明の効果】
本発明によれば、望遠側で最も大きな弊害をもたらす第１レンズ群から射出されたフレアーを有効に遮光し、ゴーストを除去するよりはるかに効率的に不要光を除去して鮮明な結像を形成することができる効果を有する。
本発明によればさらに、フォーカスレンズ群と該フォーカスレンズ群の前方の前側レンズ群を非常に接近可能になり、特に広角状態の光学性能を容易に高めることができる効果を有する。
【図面の簡単な説明】
【図１】本発明の実施形態のインナーフォーカスズームレンズの広角状態の断面図である。
【図２】本発明の実施形態のインナーフォーカスズームレンズの望遠状態の断面図である。
【図３】本発明の実施形態のインナーフォーカスズームレンズのフレアカッター機構の、広角・無限遠調状態のカム展開図である。
【図４】本発明の実施形態のインナーフォーカスズームレンズのフレアカッター機構の、望遠・無限遠調状態のカム展開図である。
【図５】図１における線Ｖ−Ｖに沿った断面図である。
【図６】図２における線VI−VIに沿った断面図である。
【図７】図５における線VII −VII に沿った断面図である。
【符号の説明】
Ｏ          光軸
１          ズームレンズ
１０          第１レンズ群
１２          第２レンズ群
１４          第３レンズ群
１６          第４レンズ群
２０          マウント部
２２          固定鏡筒
３０          ズームリング
３２          フォーカスリング
３３          フォーカス作動レバー
３４          フォーカスカム筒
３６          ズームレバー
４０          第１カム筒
４４          ２群摺動コマ
４６          ２群摺動枠
５０          案内コマ
５２          フレアカッターコマ
６０          フレアカッター枠
６２          フレアカッターカム筒
７０          直進筒
８０          直進ピン
８６          作動環
８８          固定環
１００          フレアカッター羽根
１０４          フレアカットカム溝
１０８          軸支ピン
１１０          摺動ピン
【図１】
0004121193.tif 000002
【図２】
0004121193.tif 000003
【図３】
0004121193.tif 000004
【図４】
0004121193.tif 000005
【図５】
0004121193.tif 000006
【図６】
0004121193.tif 000007
【図７】
0004121193.tif 000008